(57)【要約】【課題】スライド可能な窓自体を面発光させることができる、引き違い窓等に用いると好適なスライド式窓構造を提供する。【解決手段】固定枠１に対して窓枠２をスライドさせる際に、バネ部材１２の付勢力により、案内部材１１の下面１１ｃが、窓枠２の上端２ｃに隙間なく当接するようになっているので、スライド位置に関わらず、ＬＥＤ光源３と導光板１０との相対距離は一定である。これにより安定した照明を確保できる。【選択図】図２
2012150983.tif 000002
【特許請求の範囲】
【請求項１】
相対向する一対の主面を有する、光透過性の導光板と、
前記導光板をスライド可能に支持する固定枠と、
前記導光板のスライド方向に沿って前記固定枠に取り付けられ、前記導光板の少なくとも１つの外縁に対向可能な位置に発光部を備えた複数の光源と、
前記導光板のスライド位置に関わらず、前記導光板と前記光源との間隔を所定値に設定する設定手段とを有することを特徴とするスライド式窓構造。
【請求項２】
前記導光板と前記固定枠の少なくとも一方に設けられ、前記導光板のスライド位置に応じて前記導光板の外縁に対向する前記光源を検出するセンサと、前記センサからの信号により、前記導光板の外縁に対向している前記光源のみに電力を供給する制御手段とを有することを特徴とする請求項１に記載のスライド式窓構造。
【請求項３】
前記導光板は、前記一対の主面のうちの一方の主面に、光を拡散して反射する拡散反射部を有することを特徴とする請求項１又は２に記載のスライド式窓構造。
【請求項４】
前記拡散反射部は、前記導光板の前記主面に印刷されたものであることを特徴とする請求項３に記載のスライド式窓構造。
【発明の詳細な説明】
【技術分野】
【０００１】
本発明は、建物に好適に取り付けられて、導光板を発光させることで室内を照明できるスライド式窓構造に関する。
【背景技術】
【０００２】
建物に取り付けられる窓の本来的な役割は、日中は屋外より外光を取り入れて室内を明るく保ち、閉じることで風や雨の侵入を防ぎ、また適宜開放して換気などを行うものである。特に、窓をスライドさせる引き違い窓は簡素な構造で大きな開放感が得られるため、広く用いられている。ところで、近年では窓自体に照明機能を持たせようとする試みが行われている。例えば特許文献１には、窓台に凹部を設けて、かかる凹部内に発光部を配置し、この発光部からの光を面板の下端部から入射させて、面板を面発光させる技術が開示されている。
【０００３】
一方、特許文献２には、導光面材を周枠で支持し、周枠のうち下枠の少なくとも上部に投光部を設け、下枠内に灯具を組み込んだ技術が開示されている。
【先行技術文献】
【特許文献】
【０００４】
【特許文献１】特開２００７−３１５０７３号公報
【特許文献２】特開平０４−３１５６７５号公報
【発明の概要】
【発明が解決しようとする課題】
【０００５】
しかるに、特許文献１に示す技術は、建物に固定して設置される固定窓に関するものであり、従って引き違い窓のような換気機能を有しないため、設置場所が限られるという問題がある。又、特許文献２に示す技術は、実施例で門扉パネルに示した例があるが、具体的に配線をどのように取り回すか開示がない。ここで固定側に光源を設ければ、配線の取り回し等の問題は解消するが、一方では、例えば窓を開閉した状態に限らず、光源の光を有効に利用して安定した照明を行いたいという要請がある。
【０００６】
本発明は、上述の問題に鑑みてなされたものであり、スライド可能な窓自体を面発光させることができる、引き違い窓等に用いると好適なスライド式窓構造を提供することを目的とする。
【課題を解決するための手段】
【０００７】
請求項１に記載のスライド式窓構造は、
相対向する一対の主面を有する、光透過性の導光板と、
前記導光板をスライド可能に支持する固定枠と、
前記導光板のスライド方向に沿って前記固定枠に取り付けられ、前記導光板の少なくとも１つの外縁に対向可能な位置に発光部を備えた複数の光源と、
前記導光板のスライド位置に関わらず、前記導光板と前記光源との間隔を所定値に設定する設定手段とを有することを特徴とする。
【０００８】
本発明によれば、前記設定手段が、前記導光板のスライド位置に関わらず、前記導光板と前記光源との間隔を所定値に設定するので、窓の開閉に関わらず前記光源からの光を前記導光板に有効に入射させることができ、これにより安定した照明を行える。光源としては、小型化や省エネの観点からＬＥＤ素子が好ましいが、それに限られない。
【０００９】
請求項２に記載のスライド式窓構造は、請求項１に記載の発明において、前記導光板と前記固定枠の少なくとも一方に設けられ、前記導光板のスライド位置に応じて前記導光板の外縁に対向する前記光源を検出するセンサと、前記センサからの信号により、前記導光板の外縁に対向している前記光源のみに電力を供給する制御手段とを有することを特徴とする。これにより、前記光源のいずれかが前記導光板の外縁に対向していないときは、前記光源への給電を停止させることで、省エネを図ることができる。
【００１０】
請求項３に記載のスライド式窓構造は、請求項１又は２に記載の発明において、前記導光板は、前記一対の主面のうちの一方の主面に、光を拡散して反射する拡散反射部を有することを特徴とする。これにより、前記導光板に入射した前記光源からの光を、前記拡散反射部が設けられた面と対向する側の表面から出射することができる。
【００１１】
請求項４に記載のスライド式窓構造は、請求項３に記載の発明において、前記拡散反射部は、前記導光板の前記主面に印刷されたものであることを特徴とする。これにより、面状照明用の導光板を容易に得ることができる。
【発明の効果】
【００１２】
本発明によれば、スライド可能な窓自体を面発光させることができる、引き違い窓等に用いると好適なスライド式窓構造を提供することができる。
【図面の簡単な説明】
【００１３】
【図１】本実施の形態であるスライド式窓構造の正面図である。
【図２】図１の構成をII-II線で切断して矢印方向に見た図である。
【図３】導光板の断面を示す概略図である。
【発明を実施するための形態】
【００１４】
以下、図面を参照して本発明の実施の形態を詳細に説明する。図１は、本実施の形態であるスライド式窓構造の正面図（但し、一部を断面で示す）であり、一部開放した状態である。図２は、図１の構成をII-II線で切断して矢印方向に見た図であるが、一部を誇張している。
【００１５】
図１において、建物の壁面等に取り付けられる矩形状の固定枠１は、２枚の窓枠２を左右にスライド可能に支持している。即ち、固定枠１の下縁上部にはレール１ａが敷設されており、窓枠２の下端に取り付けられた戸車２ａが、レール１ａ上を転動し、これにより窓枠２は左右にスライド可能となっている。
【００１６】
固定枠１の上部は、図２に示すようにＵ字形状となっていて、その内部に、固定枠１のスライド方向全長にわたるようにして案内部材１１が設けられている。案内部材１１の下面には、スライド方向に延在するＵ字状の溝１１ａを設けており、更に溝１１ａの内部に、柱状のヒートシンク９と、スライド方向に並べてヒートシンク９の下面に接着された複数のＬＥＤ光源３（回路基板３ａを含む）とを固定して取り付けている。
【００１７】
更に、固定枠１の両内側面から突起１ｂが突出し、対向する案内部材１１の側面の凹部１１ｂに隙間をもって係合しており、これにより固定枠１から案内部材１１が落下することを阻止するようになっている。
【００１８】
正面（図１）から見てコ字状の窓枠２は、導光板１０の下縁と両側縁とをコ字状に覆っている。一方、図２に示すように、導光板１０の上縁は露出しており、案内部材１１の溝１１ａ内に殆ど隙間なく嵌合しているが、導光板１０と案内部材１１とは相対移動可能である。
【００１９】
固定枠１の上縁下面と、案内部材１１の上面との間には、スライド方向に並ぶようにして複数のバネ部材１２が配置され、固定部材１に対して案内部材１１を下方に付勢している。かかる付勢により、案内部材１１の下面１１ｃは、窓枠２の上端２ｃに隙間なく当接するようになっている。案内部材１１とバネ部材１２が、導光板１０とＬＥＤ光源３との間隔を所定値に設定する設定手段を構成する。
【００２０】
各ＬＥＤ光源３は、窓枠２が閉じた状態で導光板１０に対向する発光部を有する。又、各ＬＥＤ光源３は回路基板３ａを有し、これらの回路基板３ａは、屋内配線Ｌ（図１）を介して外部より給電されるようになっている。
【００２１】
図２において、各ＬＥＤ光源３に対向して、窓枠２の下端には、下向きの小さな反射部材２ｄが配置されている。又、窓枠２の下端に対向する固定枠１の下縁上部には、凹部１ｅが形成されており、その内部には、光を上方に投射して反射光を検出するセンサＳが配置されている。即ち、対応するＬＥＤ光源３が導光板１０に対向する状態では、センサＳが投射した光が反射部材２ｄで反射されて、その反射光をセンサＳが検出してオン信号を出力し、対応するＬＥＤ光源３が導光板１０に対向しない状態では、センサＳがかかる反射光を検出せずオフ信号を出力する。
【００２２】
センサＳは、外部の制御回路（制御手段）ＣＯＮＴに接続されている。制御回路ＣＯＮＴは、屋内配線Ｌを介して、個々のＬＥＤ光源３に対して給電の開始と停止を制御できるようになっている。尚、センサＳを窓枠２側に設け、反射部材２ｄを固定枠１側に設けても良い。
【００２３】
図３は、導光板１０の断面を示す概略図である。導光板１０は平板状であり、アクリルやポリカーボネート、又はガラス等で形成することができる。導光板１０の一方の主面（図４で下側主面即ち室内側主面）は、光が空気との境界面で全反射するよう表面が滑面で形成されている。又、他方の主面（図４で上側主面即ち屋外側主面）には、拡散反射部としてドット１０ａのパターンが形成されている。ドット１０ａは、例えばシリカ、酸化チタン等の拡散剤を混入したインクを、導光板１０に塗布（印刷）することで得られる。尚、ドット径を数１０μｍ程度にすることで、肉眼で視認されないようにでき、ユーザー等に違和感を覚えさせないようにできるが、よりドット径を大きくして、図形や文字などのパターンを描くこともできる。又、拡散反射部として、ドット１０ａを印刷する代わりに、導光板１０を不透明にしたり、表面を粗し面とすることもできる。
【００２４】
本実施の形態の動作について説明する。固定枠１に対して窓枠２を閉じた状態では、全てのセンサＳからオン信号が出力されるので、屋内配線Ｌから制御回路ＣＯＮＴを介して全てのＬＥＤ光源３に給電されて発光する。すると、図３に示すように、導光板１０の端部から入射した光は、室内側主面（図３で下側主面）では全反射しながら進行するが、ドット１０ａに入射した時点で拡散が生じ、一部の光の反射角が変化して、その後深い角度で室内側主面の空気に接する界面に入射するため、全反射条件が崩れ、導光板１０の表面から出射するようになる。光源から遠ざかるにつれて、単位面積当たりのドットの面積が大きくなるようにドットを印刷することで、導光板１０の全面で均一な発光を行わせることができる。
【００２５】
ここで、固定枠１に対して窓枠２をスライドして開放すると、スライド位置に応じて一部のＬＥＤ光源３（図１では右の２つ）が導光板１０に対向しなくなり、これに対応するセンサＳがオフ信号を出力するため、制御回路ＣＯＮＴは、導光板１０に対向しないＬＥＤ光源３への給電を停止する。これによりＬＥＤ光源３の無駄な発光がなくなり、省エネを図ることができる。尚、明らかであるが不図示のスイッチをオフ操作することで、全てのＬＥＤ光源３の発光を停止させることもできる。
【００２６】
更に、本実施の形態によれば、固定枠１に対して窓枠２をスライドさせる際に、バネ部材１２の付勢力により、案内部材１１の下面１１ｃが、窓枠２の上端２ｃに隙間なく当接するようになっているので、スライド位置に関わらず、ＬＥＤ光源３と導光板１０との相対距離は一定である。これにより安定した照明を確保できる。
【００２７】
尚、変形例として、センサＳ及び制御回路ＣＯＮＴを設けないこともできる。変形例によれば、窓枠２をスライドさせたときに、導光板１０に対向しなくなるＬＥＤ光源３は発光を停止しないが、特に使用に支障は生じない。これによりコストを低減できる。
【符号の説明】
【００２８】
１ 固定枠
１ａ レール
１ｂ 突起
１ｅ 凹部
２ 窓枠
２ａ 戸車
２ｃ 上端
２ｄ 反射部材
３ ＬＥＤ光源
３ａ 回路基板
９ ヒートシンク
１０ 導光板
１０ａ ドット
１１ 案内部材
１１ａ 溝
１１ｂ 凹部
１１ｃ 下面
１２ バネ部材
ＣＯＮＴ 制御回路
Ｌ 屋内配線
Ｓ センサ
【図１】
2012150983.tif 000003
【図２】
2012150983.tif 000004
【図３】
2012150983.tif 000005